(57)【特許請求の範囲】
【請求項１】
第一部材と第二部材とを回動自在に連結するヒンジ装置であって、前記第一部材若しくは前記第二部材に設けた第一摩擦部材に圧接状態で重合配設される第二摩擦部材を前記第二部材若しくは前記第一部材に設けて、前記第一部材と前記第二部材を回動させて前記第一摩擦部材と前記第二摩擦部材を相対回動することにより回動摩擦抵抗が生じるように構成し、前記第一摩擦部材若しくは前記第二摩擦部材に設けた摺動凸部が摺動する被摺動部を前記第二摩擦部材若しくは前記第一摩擦部材に設け、前記被摺動部を、前記第二摩擦部材若しくは前記第一摩擦部材の同一円周上でなく回動中心からの距離が異なる位置に形成した複数の被摺動面を有する形状に設定して、前記第一摩擦部材と前記第二摩擦部材との相対回動に際し、前記第一摩擦部材と前記第二摩擦部材との相対回動位置に応じて、前記摺動凸部が摺動する前記被摺動部の前記被摺動面が切り替わることで前記摺動凸部と前記被摺動部との当接する位置の回動中心からの距離が可変し、前記第一摩擦部材と前記第二摩擦部材との相対回動位置に応じて回動摩擦抵抗が可変するように構成したことを特徴とするヒンジ装置。
【請求項２】
前記被摺動部は、前記第二摩擦部材若しくは前記第一摩擦部材の回動方向に並設する複数の被摺動面を有し、この隣接する被摺動面同士は同一円周上でなく回動中心からの距離が異なる位置に配されていることを特徴とする請求項１記載のヒンジ装置。
【請求項３】
前記被摺動面夫々は、前記第二摩擦部材若しくは前記第一摩擦部材に突設したことを特徴とする請求項２記載のヒンジ装置。
【請求項４】
前記被摺動部は、前記第二摩擦部材若しくは前記第一摩擦部材の回動方向に長さを有する凸状体で構成され、この凸状体は同一円周上でなく回動中心からの距離が異なる位置に形成した複数の被摺動面を有する形状であることを特徴とする請求項１記載のヒンジ装置。
【請求項５】
前記摺動凸部は、前記第一摩擦部材若しくは前記第二摩擦部材に回動中心から径方向に長さを有する形状に設けられるか若しくは複数並設されていることを特徴とする請求項１〜４のいずれか１項に記載のヒンジ装置。
【請求項６】
前記第一部材と前記第二部材とが重合する重合閉塞位置から開放方向に回動させた開放回動位置までの一の回動範囲で前記第一摩擦部材と前記第二摩擦部材とが相対回動する際、前記摺動凸部と前記被摺動部とが当接する位置の回動中心からの距離に比し、前記一の回動範囲から開放方向に回動させた開放回動位置までの他の回動範囲で前記第一摩擦部材と前記第二摩擦部材とが相対回動する際、前記摺動凸部と前記被摺動部とが当接する位置の回動中心からの距離が長くなるように設定したことを特徴とする請求項１〜５のいずれか１項に記載のヒンジ装置。
【請求項７】
本体部を前記第一部材若しくは前記第二部材とし、前記本体部に重合する重合部を前記第二部材若しくは前記第一部材とし、この本体部と重合部とを前記請求項１〜６のいずれか１項に記載のヒンジ装置によって枢着連結したことを特徴とするヒンジ装置を用いた電子機器。
【発明の詳細な説明】
【技術分野】
【０００１】
本発明は、例えば携帯電話やノート型パソコンなどの電子機器の枢着部に用いられるヒンジ装置並びにヒンジ装置を用いた電子機器に関するものである。
【背景技術】
【０００２】
例えば、操作部を設けた本体部にこの操作部の操作や受信信号などによって表示されるディスプレイ部を設けた重合部を枢着連結し、重合部を重合閉塞状態から開放回動して本体部の操作部を開放露出すると共に、重合部の伏面のディスプレイ部を開放露出する携帯電話やノート型パソコンなどの電子機器において、この枢着連結部に用いられるヒンジ装置は、例えば一方の部材に取り付ける連結部に軸受部を設け、これと枢着する他方の部材に取り付ける連結部に軸部を設け、この軸受部に軸部が軸支されるように連結する。
【０００３】
この場合、この開閉回動がぶらついたりせず、また例えば手で開閉回動する際に手を放した回動位置で止まるフリーストップを実現するために、回動には支障ない程度において重合部の自重に対抗する大きな回動摩擦抵抗（回動トルク）が生じるように構成したい場合がある。
【０００４】
このような電子機器におけるヒンジ装置だけでなく、フリーストップを実現させたり、ゆっくりと自重によって自動回動させたり、速く回動することを防止させるために所定の回動トルクが生じるようにしたダンパ装置として機能させたい場合など他のヒンジ装置においても同様の要請がある。
【０００５】
そのため、一方の部材側に設ける軸受部と他方の部材側に設ける軸部との回動に、十分な回動トルクが生じるように、例えば軸受部側を固定側とし、軸部側を相対回動側として説明すると、軸受部側に設ける固定部に対して軸部と共に回動する回動摩擦部を重合状態に設けて固定部に対して回動摩擦部が重合状態で回動することで回動トルクが生じるように構成する。
【０００６】
この固定部に対して重合する回動摩擦部の回動トルクを大きくするためには、少なくとも一方をスライド自在に設けてこれを軸部や軸受部に設けたバネで重合付勢し、この重合付勢力を大きくすることで回動トルクを増大させる方法が考えられる。
【０００７】
しかし、ある程度の増大は期待できるもののやはり限界があるだけでなく、このバネ力を単に大きくしこのバネ力のみにたよってしまうとバネがへたり易い故に使用を続けると回動トルクが小さくなってしまう場合があり耐久性に劣る場合がある。
【０００８】
また、固定部とこれに重合して相対回動する回動摩擦部のいずれかの表面あるいは双方の表面に凹凸やあらし加工を施して回動トルクを増大させる手法をとることも考えられるが、スムーズに回動しつつも十分な回動トルクを生じるようにするにはやはり限界があるし、また前述のバネの場合と同様、使用するにつれて徐々に表面は滑らかとなるおそれがあり同じように耐久性に劣る。
【０００９】
また、本出願人が提案する特開２００８−４５６７７号のように、軸受部となる固定板と、軸部に設けられ固定板に重合状態で相対回動する回動摩擦板とを複数組設けて積層状態に重合配設し、固定板と回動摩擦板との回動摩擦の総和を大きくして回動トルクを増大させる構造のものもある。
【００１０】
以上のように、フリーストップを実現させたり、ゆっくりと自重によって自動回動させたり、速く回動することを防止させるために所定の回動トルクが生じるようにしたダンパ装置としての機能を具備するヒンジ装置が種々提案されている。
【先行技術文献】
【特許文献】
【００１１】
【特許文献１】特開２００８−４５６７７号公報
【発明の概要】
【発明が解決しようとする課題】
【００１２】
本出願人は、例えば本体部と重合部との回動に際して回動トルクが生じるようにしたダンパ装置としての機能を具備するヒンジ装置について更なる研究開発を進め、その結果、従来にないアイデアから秀れた作用効果を発揮する画期的なヒンジ装置並びにヒンジ装置を用いた電子機器を開発した。
【課題を解決するための手段】
【００１３】
添付図面を参照して本発明の要旨を説明する。
【００１４】
第一部材１と第二部材２とを回動自在に連結するヒンジ装置であって、前記第一部材１若しくは前記第二部材２に設けた第一摩擦部材３に圧接状態で重合配設される第二摩擦部材４を前記第二部材２若しくは前記第一部材１に設けて、前記第一部材１と前記第二部材２を回動させて前記第一摩擦部材３と前記第二摩擦部材４を相対回動することにより回動摩擦抵抗が生じるように構成し、前記第一摩擦部材３若しくは前記第二摩擦部材４に設けた摺動凸部６が摺動する被摺動部７を前記第二摩擦部材４若しくは前記第一摩擦部材３に設け、前記被摺動部７を、前記第二摩擦部材４若しくは前記第一摩擦部材３の同一円周上でなく回動中心からの距離が異なる位置に形成した複数の被摺動面７ａ，７ｂを有する形状に設定して、前記第一摩擦部材３と前記第二摩擦部材４との相対回動に際し、前記第一摩擦部材３と前記第二摩擦部材４との相対回動位置に応じて、前記摺動凸部６が摺動する前記被摺動部７の前記被摺動面７ａ，７ｂが切り替わることで前記摺動凸部６と前記被摺動部７との当接する位置の回動中心からの距離が可変し、前記第一摩擦部材３と前記第二摩擦部材４との相対回動位置に応じて回動摩擦抵抗が可変するように構成したことを特徴とするヒンジ装置に係るものである。
【００１５】
また、前記被摺動部７は、前記第二摩擦部材４若しくは前記第一摩擦部材３の回動方向に並設する複数の被摺動面７ａ，７ｂを有し、この隣接する被摺動面７ａ，７ｂ同士は同一円周上でなく回動中心からの距離が異なる位置に配されていることを特徴とする請求項１記載のヒンジ装置に係るものである。
【００１６】
また、前記被摺動面７ａ，７ｂ夫々は、前記第二摩擦部材４若しくは前記第一摩擦部材３に突設したことを特徴とする請求項２記載のヒンジ装置に係るものである。
【００１７】
また、前記被摺動部７は、前記第二摩擦部材４若しくは前記第一摩擦部材３の回動方向に長さを有する凸状体で構成され、この凸状体は同一円周上でなく回動中心からの距離が異なる位置に形成した複数の被摺動面７ａ，７ｂを有する形状であることを特徴とする請求項１記載のヒンジ装置に係るものである。
【００１８】
また、前記摺動凸部６は、前記第一摩擦部材３若しくは前記第二摩擦部材４に回動中心から径方向に長さを有する形状に設けられるか若しくは複数並設されていることを特徴とする請求項１〜４のいずれか１項に記載のヒンジ装置に係るものである。
【００１９】
また、前記第一部材１と前記第二部材２とが重合する重合閉塞位置から開放方向に回動させた開放回動位置までの一の回動範囲Ｐ１で前記第一摩擦部材３と前記第二摩擦部材４とが相対回動する際、前記摺動凸部６と前記被摺動部７とが当接する位置の回動中心からの距離Ｌ１に比し、前記一の回動範囲Ｐ１から開放方向に回動させた開放回動位置までの他の回動範囲Ｐ２で前記第一摩擦部材３と前記第二摩擦部材４とが相対回動する際、前記摺動凸部６と前記被摺動部７とが当接する位置の回動中心からの距離Ｌ２が長くなるように設定したことを特徴とする請求項１〜５のいずれか１項に記載のヒンジ装置に係るものである。
【００２０】
また、本体部を前記第一部材１若しくは前記第二部材２とし、前記本体部に重合する重合部を前記第二部材２若しくは前記第一部材１とし、この本体部と重合部とを前記請求項１〜６のいずれか１項に記載のヒンジ装置によって枢着連結したことを特徴とするヒンジ装置を用いた電子機器に係るものである。
【発明の効果】
【００２１】
本発明は上述のように構成したから、第一摩擦部材と第二摩擦部材との相対回動位置に応じて回動摩擦抵抗（回動トルク）を可変し得る構成の為、例えば強い回動トルクを得たい場合やそうでない場合など必要な回動トルクを調整することが可能であり、しかも、この回動トルクを可変する構成として、被摺動部を、第二摩擦部材若しくは第一摩擦部材の同一円周上でなく回動中心からの距離が異なる位置に形成した複数の被摺動面を有する形状に設定することで達成しており、即ち、被摺動部の形状設定という簡易構成で回動トルクを可変し得る構成であり、しかも、第一摩擦部材と第二摩擦部材との相対回動に際し、第一摩擦部材と第二摩擦部材との相対回動位置に応じて、摺動凸部が摺動する被摺動部の被摺動面が切り替わることで摺動凸部と被摺動部との当接する位置の回動中心からの距離が可変するという、従来にない発想から回動位置に応じた回動トルクの変化を求める構造であり、前述した回動トルクの調整が確実に達成し得る構成で、製作容易で量産性に秀れた画期的なヒンジ装置並びにヒンジ装置を用いた電子機器となる。
【００２２】
また、請求項２，３，４，５記載の発明においては、より具体的な構成から第一摩擦部材と第二摩擦部材との相対回動位置に応じて回動トルクが可変する構造を一層簡易に実現できる極めて秀れたヒンジ装置となる。
【００２３】
また、請求項６記載の発明においては、前記作用・効果を発揮する本発明をより有効に利用できる一層実用性に秀れたヒンジ装置となる。
【００２４】
また、請求項７記載の発明においては、前記作用・効果を発揮するヒンジ装置を用いた携帯電話やノート型パソコンなどの電子機器となる。
【図面の簡単な説明】
【００２５】
【図１】本実施例の使用状態説明図である。
【図２】本実施例を示す斜視図である。
【図３】本実施例を示す分解斜視図である。
【図４】本実施例に係る要部の説明断面図である。
【図５】本実施例に係る要部の説明断面図である。
【図６】本実施例に係る要部を示す斜視図である。
【図７】本実施例に係る要部を示す斜視図である。
【図８】本実施例に係る要部の概略動作説明図である。
【図９】本実施例の動作説明図である。
【図１０】回動摩擦抵抗（回動トルク）を求める計算式である。
【図１１】第一摩擦部材と第二摩擦部材との相対回動位置に応じた回動摩擦抵抗（回動トルク）の変化を表した表である。
【発明を実施するための形態】
【００２６】
好適と考える本発明の実施形態（発明をどのように実施するか）を、図面に基づいて本発明の作用を示して簡単に説明する。
【００２７】
第一部材１と第二部材２を回動させて第一摩擦部材３と第二摩擦部材４とを相対回動させると、この圧接状態で重合される第一摩擦部材３と第二摩擦部材４との間には回動摩擦抵抗（回動トルク）が生じる。
【００２８】
具体的には、第一摩擦部材３若しくは第二摩擦部材４に設けた摺動凸部６が、第二摩擦部材４若しくは第一摩擦部材３に設けた被摺動部７を摺動することで回動摩擦抵抗（回動トルク）が生じる。
【００２９】
本発明は、被摺動部７を、第二摩擦部材４若しくは第一摩擦部材３の同一円周上でなく回動中心からの距離が異なる位置に形成した複数の被摺動面７ａ，７ｂを有する形状に設定しており、この構成から、第一摩擦部材３と第二摩擦部材４との相対回動に際し、第一摩擦部材３と第二摩擦部材４との相対回動位置に応じて、摺動凸部６が摺動する被摺動部７の被摺動面７ａ，７ｂが切り替わることで摺動凸部６と被摺動部７との当接する位置の回動中心からの距離が可変し、第一摩擦部材３と第二摩擦部材４との相対回動位置に応じて回動摩擦抵抗（回動トルク）が可変する。
【００３０】
即ち、第一摩擦部材３と第二摩擦部材４とが圧接状態で相対回動する際に生じる回動摩擦抵抗（回動トルク）は図10の式により定義されるが、本発明は、第一摩擦部材３と第二摩擦部材４との相対回動位置に応じて、この摺動凸部６と被摺動部７とが当接する位置の回動中心からの距離（摺動半径）が可変する構成であり、よって、第一摩擦部材３と第二摩擦部材４との相対回動位置に応じて回動摩擦抵抗（回動トルク）が可変する。
【００３１】
この構成を第一部材１と第二部材２とを回動自在に連結するヒンジ装置に適用せしめた場合、例えば第一部材１と第二部材２とが重合する重合閉塞位置から開放方向に回動させるような強い回動摩擦抵抗（回動トルク）が要求されない場面においては、摺動凸部６と被摺動部７とが当接する位置の回動中心からの距離（摺動半径）が短くなるように設定し、一方、例えば第一部材１と第二部材２とを開放させてフリーストップを実現させるために強い回動摩擦抵抗（回動トルク）が得たい場面においては、摺動凸部６と被摺動部７とが当接する位置の回動中心からの距離（摺動半径）が長くなるように設定するなど、製品の特徴に対応して回動摩擦抵抗（回動トルク）を可変し得ることができる。
【実施例】
【００３２】
本発明の具体的な一実施例について図面に基づいて説明する。
【００３３】
本実施例は、例えばノート型パソコンの操作部11（キーボード）を設けた本体部１を第一部材１とし、ディスプレイ部12を伏面に設けた重合部２を第二部材２とし、本体部１に対して重合部２を開閉回動して重合閉塞位置から開放位置まで起伏回動自在に重合連結するヒンジ装置Ｈに適用したもので、所望の最適な回動摩擦抵抗（回動トルク）が得られるヒンジ装置Ｈを簡易な構成でコスト安に実現可能な構成としている。
【００３４】
また、本実施例では、第一部材１若しくは第二部材２に設けた第一摩擦部材３に圧接状態で重合配設される第二摩擦部材４を第二部材２若しくは第一部材１に設けて、第一部材１と第二部材２を回動させて第一摩擦部材３と第二摩擦部材４を相対回動することにより回動摩擦抵抗が生じるように構成している。
【００３５】
具体的には本実施例では、軸受部３（固定板部）を第一部材１に取り付ける第一連結部８に設け、この軸受部３に軸支する軸部10を第二部材２に取り付ける第二連結部９に設けている。尚、第一連結部８及び第二連結部９はいずれも金属製であり、第二連結部９は重合連結する一対の折曲板部材９Ａ・９Ａで構成されている。
【００３６】
本実施例では、この第一連結部８（軸受部３）を第一摩擦部材３としている。尚、第一摩擦部材３は、後述するもう一つの第一摩擦部材３のように第一連結部８とは別部材で構成しても良い。
【００３７】
また、この軸受部３の表裏面に重合配設する複数（一対）の金属製の回動摩擦板４（第二摩擦部材４）を前記軸部10に回り止め状態にしてスライド自在に設けて、前記軸部10と共に前記第二摩擦部材４が軸受部３に対して圧接状態で相対回動することにより回動摩擦抵抗（回動トルク）が生じるように構成している。
【００３８】
また、第一摩擦部材３に対して第二摩擦部材４を皿バネを積層して成る付勢体５の付勢に抗して離反方向に相対移動自在となるように設けており、第一摩擦部材３に第二摩擦部材４は圧接状態で重合配設されている。
【００３９】
更に詳述すると、軸受部３を設けた部材、即ち本実施例では第一連結部８に、第一摩擦部材３を設けており、更に、第一連結部８には、軸受部３の表面に重合配設する第二摩擦部材４をサンドイッチ状態で挟み込み重合する金属板製の第一摩擦部材３が設けられている。
【００４０】
一方、第二摩擦部材４は軸部10に回り止め状態にして軸方向にスライド自在に設けている。具体的には、第二連結部９に軸部10を突設し、この軸部10の外形状を角形として回り止め外形状部10ａを設け、この回り止め外形状部10ａに回り止め状態に貫通する角孔の回り止め孔４ａを有する形状に前記第二摩擦部材４を設定している。
【００４１】
本実施例では、第一連結部８の第一摩擦部材３の表裏に重合配設する第二摩擦部材４を２枚設け、この第二摩擦部材４は同一板形状としている。
【００４２】
また、本実施例では、軸部10の先端部に先端支承部13として先端ワッシャ13を設け、基端部にも基端支承部10ｂを設け、この先端支承部13と前記軸受部３（一の第一摩擦部材３）との間や基端支承部10ｂと軸受部３（一の第一摩擦部材３）との間に、前記軸部10に対してスライド自在な第二摩擦部材４とを配設し、また、先端支承部13と前記軸受部３（一の第一摩擦部材３）との間に他の第一摩擦部材３を配設し、これらすべてを第二動摩擦部材４同様に軸部10に挿通して並設した複数枚の皿バネ５Ａを付勢体５として設けて、積層した第一摩擦部材３と第二摩擦部材４をすべて一挙に基端支承部10ｂや軸受部３に押圧して重合付勢するように構成している。
【００４３】
また、本実施例では、第一摩擦部材３若しくは第二摩擦部材４に設けた摺動凸部６が摺動する被摺動部７を第二摩擦部材４若しくは第一摩擦部材３に設け、被摺動部７を、第二摩擦部材４若しくは第一摩擦部材３の同一円周上でなく回動中心からの距離が異なる位置に形成した複数の被摺動面７ａ，７ｂを有する形状に設定して、第一摩擦部材３と第二摩擦部材４との相対回動に際し、第一摩擦部材３と第二摩擦部材４との相対回動位置に応じて、摺動凸部６が摺動する被摺動部７の被摺動面７ａ，７ｂが切り替わることで摺動凸部６と被摺動部７との当接する位置の回動中心からの距離が可変し、第一摩擦部材３と第二摩擦部材４との相対回動位置に応じて回動摩擦抵抗が可変するように構成している。
【００４４】
具体的には、被摺動部７は、第二摩擦部材４の回動方向に並設する複数の被摺動面７ａ，７ｂを有し、この隣接する被摺動面７ａ，７ｂ同士は同一円周上でなく回動中心からの距離が異なる位置に配されている。
【００４５】
被摺動面７ａは、第二摩擦部材４の表面にして孔４ａを間に配した対向位置に複数（一対）設けられ、被摺動面７ｂは、第二摩擦部材４の表面にして孔４ａを間に配した対向位置に複数（一対）設けられており、第二摩擦部材４の回動中心からの距離は、被摺動面７ａに比し被摺動面７ｂの方が長い距離に設定されている。
【００４６】
また、この被摺動面７ａ，７ｂ夫々は、第二摩擦部材４に突設したものであり、摺動凸部６と被摺動部７とは凸同士の突き合わせ圧接状態に重合されている。
【００４７】
尚、被摺動部７は、第二摩擦部材４若しくは第一摩擦部材３の回動方向に長さを有する一つの凸状体で構成され、この凸状体は同一円周上でなく回動中心からの距離が異なる位置に形成した複数の被摺動面７ａ，７ｂを有する形状としても良い。つまり、図示した被摺動面７ａ，７ｂ同士を連続させた形状としても良い。
【００４８】
また、一方、摺動凸部６は、第一摩擦部材３の表面にして孔３ａを間に配した対向位置に複数（一対）設けられており、この各摺動凸部６は、回動中心から径方向に長さを有する形状に設けられている。
【００４９】
尚、摺動凸部６は、複数並設される構成でも良い。
【００５０】
本実施例では、第一部材１（本体部）と第二部材２（重合部）とが重合する重合閉塞位置から開放方向に回動させた開放回動位置までの一の回動範囲Ｐ１で第一摩擦部材３と第二摩擦部材４とが相対回動する際、摺動凸部６と被摺動部７とが当接する位置の回動中心からの距離Ｌ１に比し、一の回動範囲Ｐ１から開放方向に回動させた開放回動位置までの他の回動範囲Ｐ２で第一摩擦部材３と第二摩擦部材４とが相対回動する際、摺動凸部６と被摺動部７とが当接する位置の回動中心からの距離Ｌ２が長くなるように設定されている。
【００５１】
前述した一の回動範囲Ｐ１とは、例えば第一部材１（第一連結部８）に設けたカム部と第二部材２（第二連結部９）に設けたカム係合部とが凹凸係合する際、第一部材１と第二部材２とを閉塞付勢する回動付勢力（吸い込み力）が生じる範囲であり、他の回動範囲Ｐ２とは、例えば前記カム係合部から前記カム部が係脱した部位であり、第一部材１と第二部材２を開放状態として手を放してもその状態を維持するフリーストップ状態が得られる範囲である。
【００５２】
以上の構成から成る本実施例に係るヒンジ装置Ｈは、図９に図示したように第一部材１と第二部材２を回動させて第一摩擦部材３と第二摩擦部材４とを相対回動させると、この圧接状態で重合される第一摩擦部材３と第二摩擦部材４との間には回動摩擦抵抗（回動トルク）が生じる。
【００５３】
具体的には、第一摩擦部材３に設けた一対の摺動凸部６が、第二摩擦部材４に設けた被摺動部７（被摺動面７ａ，７ｂ）を摺動することで回動摩擦抵抗（回動トルク）が生じる。
【００５４】
被摺動部７を、第二摩擦部材４の同一円周上でなく回動中心からの距離が異なる位置に形成した複数の被摺動面７ａ，７ｂを有する形状に設定しており、具体的には、この被摺動面７ａ，７ｂ夫々は第二摩擦部材４の被摺動部形成面に突設した凸条の頂面であり、第二摩擦部材４の回動中心からの距離Ｌ１が短い被摺動面７ａは正面視形状が直線状に形成され、第二摩擦部材４の回動中心からの距離Ｌ２が長い被摺動面７ｂは正面視形状が円弧状に形成されている。
【００５５】
この構成から、図８に図示したように第一摩擦部材３と第二摩擦部材４との相対回動に際し、第一摩擦部材３と第二摩擦部材４との相対回動位置に応じて、摺動凸部６が摺動する被摺動部７の被摺動面７ａ，７ｂが切り替わることで摺動凸部６と被摺動部７との当接する位置の回動中心からの距離が可変し、第一摩擦部材３と第二摩擦部材４との相対回動位置に応じて回動摩擦抵抗（回動トルク）が可変する。また、図11は被摺動面７ａから被摺動面７ｂへの切り替わりによる回動摩擦抵抗（回動トルク）の変化を表した解析による理論Ｃｕｒｖｅである。
【００５６】
即ち、第一摩擦部材３と第二摩擦部材４とが圧接状態で相対回動する際に生じる回動摩擦抵抗（回動トルク）は図10の式により定義されるが、本実施例は、第一摩擦部材３と第二摩擦部材４との相対回動位置に応じて、この摺動凸部６と被摺動部７とが当接する位置の回動中心からの距離（摺動半径）が可変する構成であり、よって、第一摩擦部材３と第二摩擦部材４との相対回動位置に応じて回動摩擦抵抗（回動トルク）が可変する。尚、本明細書で言う摺動半径とは、部材と部材が圧接状態で相対回動する際に当接する位置の回動中心からの距離で表される。
【００５７】
この構成を第一部材１と第二部材２とを回動自在に連結するヒンジ装置に適用せしめた場合、例えば第一部材１と第二部材２とが重合する重合閉塞位置から開放方向に回動させるような強い回動摩擦抵抗（回動トルク）が要求されない場面（第一部材１と第二部材２を閉じ方向に付勢する吸い込み力が生じる場面）においては、摺動凸部６と被摺動部７とが当接する位置の回動中心からの距離（摺動半径）が短くなるように設定し、一方、例えば第一部材１と第二部材２とを開放させて強い回動摩擦抵抗（回動トルク）が得たい場面（第一部材１と第二部材２とを所定回角度の開放状態とした際に手を放しても開閉回動せずふらつかないフリーストップ状態を実現させる場面）においては、摺動凸部６と被摺動部７とが当接する位置の回動中心からの距離（摺動半径）が長くなるように設定するなど、製品の特徴に対応して回動摩擦抵抗（回動トルク）を可変し得ることができる。
【００５８】
また、被摺動面７ａ，７ｂの表面を荒らし処理して回動トルクを更に高めても良い。
【００５９】
尚、本発明は、実施例に限られるものではなく、各構成要件の具体的構成は適宜設計し得るものである。
【符号の説明】
【００６０】
１  第一部材
２  第二部材
３  第一摩擦部材
４  第二摩擦部材
６  摺動凸部
７  被摺動部
７ａ  被摺動面
７ｂ  被摺動面
【図１】
0005522793.tif 000002
【図２】
0005522793.tif 000003
【図３】
0005522793.tif 000004
【図４】
0005522793.tif 000005
【図５】
0005522793.tif 000006
【図６】
0005522793.tif 000007
【図７】
0005522793.tif 000008
【図８】
0005522793.tif 000009
【図９】
0005522793.tif 000010
【図１０】
0005522793.tif 000011
【図１１】
0005522793.tif 000012